(57)【要約】      （修正有）【課題】コストを削減し、環境への負荷を低減し、表面への印刷を容易とし、デザインの自由度を高め、人工歯の配置自由度を高めることで、標準色調見本の商品価値を高める蝋材支持板を提供する。【解決手段】蝋材支持板１は、蝋材２が仮止めされる台紙３を備え、台紙３に穴が形成され、この穴の表面積が蝋材２の底面の表面積よりも小さく設定され、穴の周囲に蝋材２が接着するとともに穴に没入する。１枚の台紙３の上面に人工歯の上顎の臼歯８、下顎の臼歯９を取り付けたり、上顎の前歯６、下顎の前歯７、それらを囲むように上顎の臼歯８、下顎の臼歯９を取り付けたりする。台紙３の上面３２の角度を収容箱の水平面に対して、傾斜して配置することもできる。【選択図】図３
0003162085.tif 000002
【実用新案登録請求の範囲】
【請求項１】
蝋材が仮止めされる台紙であって、前記台紙に穴が形成され、この穴の表面積が前記蝋材の底面の表面積よりも小さく設定され、前記穴の周囲に前記蝋材が接着するとともに前記穴に没入することを特徴とする蝋材支持板。
【請求項２】
前記台紙の1枚の上面に上顎の前歯、下顎の前歯を取り付ける請求項１の蝋材支持板。
【請求項３】
前記台紙の１枚の上面に上顎の臼歯、下顎の臼歯を取り付ける請求項１又は２の蝋材支持板。
【請求項４】
前記台紙の１枚の上面に上顎の総義歯及び／又は下顎の総義歯を取り付ける請求項１ないし３いずれかの蝋材支持板。
【請求項５】
前記台紙の上面の角度が収容箱の水平面に対して、傾斜して配置される請求項１の蝋材支持板。
【請求項６】
前記台紙の裏面にプラスチックダンボールが接着されることにより、複層構造を備える請求項１の蝋材支持板。
【考案の詳細な説明】
【技術分野】
【０００１】
この考案は、歯科用の標準色調見本（シェードガイド（shade guide）或いはモールドカ゛イト゛(mould guide)等とも呼ばれている）の人工歯仮止め用蝋材の支持板に関するものである。さらに詳しくは、この考案は、前歯部、臼歯部用等の人工歯が保持される蝋材を装着するための蝋材支持板に関するものである。
【背景技術】
【０００２】
総義歯または部分床義歯等を作製するに際し、必要とする人工歯の配列状態、口腔内での咬合状態等を判断するのに、人工歯仮止め用蝋材支持板に形成された凹部に粘着性のある蝋材を埋設して、該蝋材の粘着性を利用して前歯部、臼歯部用等の人工歯を仮止めした人工歯用保持板が使用されている。人工歯用保持板に用いる人工歯仮止め用蝋材支持板は、仮止めする前歯部、臼歯部等に応じて各種の形状のものが開発されている。
【０００３】
例えば、特許文献１の図１〜図３に示される人工歯用保持板（１）の蝋材支持板（２）は、平板状であって、上面に凹部（２ａ）が形成されてなるものである。そして、前記凹部（２ａ）に蝋材（３）が蝋材支持板の水平基準面（２ｂ）から所定高さ突出するように装着され、蝋材（３）に人工歯（４）が天然歯と同様の順序で仮止めされる。
【０００４】
特許文献１の人工歯仮止め用蝋材支持板は、使用中は安定しており、使用後、焼却処分にされた場合、燃焼熱が低く焼却炉を損傷させる恐れが低く、埋め立てられるか、自然環境中に放置された場合、微生物により水、炭酸ガスに分解され、環境を汚染させることのない人工歯仮止め用蝋材支持板を提供することを目的とし、人工歯仮止め用蝋材の装着部が形成された蝋材支持板において、該蝋材支持板が生分解性プラスチックからなることを特徴としている。
【先行技術文献】
【特許文献】
【０００５】
【特許文献１】特開２０００−２３７２１３号公報
【考案の概要】
【考案が解決しようとする課題】
【０００６】
しかしながら、特許文献１の蝋材支持板は、生分解性プラスチックであるので、特殊材質の入手、成形のための金型等が必要であり、コスト面で問題がある。生分解性といえども環境への負荷が残る。支持板表面への印刷がし難くデザインの自由度が低いという問題がある。さらに、蝋材全体が支持板の凹部に嵌め込まれる構造のため、人工歯の配置が制約されてワンパターンとなり、配置の自由度が非常に低いという問題があった。例えば、上顎の前歯、下顎の前歯、臼歯、総義歯など、相違する種類の歯を1個の支持板に仮止めすることが困難である。
【０００７】
そこで、コストを削減し、環境への負荷を低減し、表面への印刷を容易とし、デザインの自由度を高め、人工歯の配置自由度を高めることで、標準色調見本の商品価値を高めることを課題とする。
【課題を解決するための手段】
【０００８】
上記課題に鑑み、本考案の蝋材支持板は、蝋材が仮止めされる台紙を備え、前記台紙に穴が形成され、この穴の表面積が前記蝋材の底面の表面積よりも小さく設定され、前記穴の周囲に前記蝋材が接着するとともに前記穴に没入することを特徴とする蝋材支持板である。ここでいう「接着」とは、接着剤で接着したもの、接着剤で接着せずに蝋材の接着力で接着したもの、いずれも含まれる。
【０００９】
前記台紙の1枚の上面に上顎の前歯、下顎の前歯を取り付けることが好ましい。また、前記台紙の１枚の上面に上顎の臼歯、下顎の臼歯を取り付けることが好ましい。前記台紙の１枚の上面に上顎の総義歯及び／又は下顎の総義歯を取り付けることが好ましい。
【００１０】
前記台紙の上面の角度が収容箱の水平面に対して、傾斜して配置されることが好ましい。
【００１１】
前記台紙の裏面にプラスチックダンボールが接着された蝋材支持体であることが好ましい。
【考案の効果】
【００１２】
請求項１の考案は、前記台紙の穴の周囲に前記蝋材が接着するとともに前記穴に没入するので、台紙から蝋材が脱落しにくく、安価であり、プラスチックの場合のような金型が不要であり、台紙のデザインの幅が広がり、印刷が容易である。また、人工歯の配置に自由度がある。したがって、標準色調見本としての商品価値が高くなる。さらに、廃棄物として処理しやすい。
【００１３】
請求項２ないし４の考案によれば、複数種類の人工歯を確認しやすくなる。
【００１４】
請求項５の考案によれば、前記台紙の上面の角度が収容箱の水平面に対して傾斜して配置されるので、人工歯が見やすくなる。
【００１５】
請求項６の考案によれば、前記台紙がプラスチックダンボールで補強されているので、強度が高くなる。
【図面の簡単な説明】
【００１６】
【図１】（ａ）（ｂ）は本考案一実施形態の蝋材支持板１の斜視図、（ｃ）は蝋材支持板１に蝋材２を接着した斜視図である。
【図２】（ａ）（ｂ）は蝋材支持板１上の蝋材２に人工歯（上顎と下顎の臼歯）を接着した斜視図である。
【図３】蝋材支持板１上の蝋材２に一組の人工歯を接着した斜視図である。
【図４】蝋材支持板１上の蝋材２に人工歯（上顎と下顎の前歯）を接着した斜視図である。
【図５】蝋材支持板１に蝋材が接着した状態を示す縦断面図である。
【図６】収容箱の斜視図である。
【図７】収容箱に人工歯を固着させた蝋材２を備える各種の蝋材支持板１を収容した状態の斜視図である。
【考案を実施するための形態】
【００１７】
以下に、本考案の好適な一実施形態である蝋材支持板１について図面を参照して説明する。
【００１８】
図１〜図７に示す蝋材支持板１を、以下、詳細に説明する。この蝋材支持板１は、蝋材２が仮止めされる台紙３を備え、台紙３に穴４が形成され、この穴４の表面積が蝋材２の底面の表面積よりも小さく設定され、穴４の周囲に蝋材２が接着するとともに穴４に没入する（図５参照）ことを特徴とする。
【００１９】
蝋材２は非金属材料からなり、例えば粘土のように柔らかい柔軟性のあるワックス等が挙げられる。
【００２０】
台紙３は厚紙であり、１ｍｍ〜４ｍｍの範囲が好ましい。厚紙でなくてもよく、たとえば、裏面にプラスチックダンボール等を接着し複層としてもよい。この台紙３は側面３１と、上面３２と、下面３３とを備えている。側面３１は垂直面、上面３２と下面３３は水平面である。台紙３の形状は四角形に限定されず、多角形でもよいし（図７参照）、丸形、楕円形、小判形など適宜の形状にすることができる。
【００２１】
穴４は図１（ａ）に示す角孔、図１（ｂ）に示す丸孔が好ましい。角穴の場合でも複数設けることができる。形状は四角形に限定されず、多角形でもよい。丸孔の場合には複数個を所定間隙又は適宜間隙を置いて複数個設けることが好ましい。丸穴に限定されず、楕円穴、小判穴等でもよい。
【００２２】
図２（ａ）に示す通り、蝋材支持板１は、厚紙である台紙３の単層構造でもよいし、図２（ｂ）に示す通り、プラスチックダンボール３５の表面に薄紙３６を貼り付けた複層構造でもよい。
【００２３】
図２（ａ）又は（ｂ）に示す通り、１枚の台紙３の上面に人工歯として、上顎の臼歯８、下顎の臼歯９を上下に整列させて取り付ける例が挙げられる。
【００２４】
図３に示す通り、１枚の台紙３の上面３２に人工歯として、上顎の前歯６、下顎の前歯７、それらを囲むように上顎の臼歯８、下顎の臼歯９を取り付ける例が挙げられる。
【００２５】
図４に示す通り、１枚の台紙３の上面３２に人工歯として、上顎の前歯６、又は、下顎の前歯７を上下に整列させて取り付ける例が挙げられる。
【００２６】
図示は略すが、台紙３の１枚の上面３２に人工歯として、上顎の総義歯及び／又は下顎の総義歯を取り付けてもよい。総義歯の配置態様は図２ないし図4を参照されたい。
【００２７】
図５に示す通り、穴４の周囲Ｓの領域で蝋材２が台紙３の上面３２に接着するとともに穴４に没入している。穴４には下方に空隙Ｋが形成されている。蝋材２を上から押し付けることで穴４に押し込むからである。
【００２８】
図６〜図７に示す通り、台紙３の上面３２の角度を収容箱２０の水平面に対して、傾斜して配置することができる。そのためには、収容箱２０の底板に傾斜板２１が配置されている（図６、７に示す収容箱２０内の手前側の列を参照されたい）。または、図示は略すが、台紙３自体を傾斜させることもでき、たとえば、台紙３の縦断面を三角形状にすることもできる。
【００２９】
本実施形態である蝋材支持板１の使用方法の例を説明する。台紙３に形成された穴４に蝋材２を載せ、上から蝋材２を穴４の方向に押し付け、蝋材２の一部を穴４に押し込み没入させる。つぎに、人工歯（上顎の前歯６、下顎の前歯７、上顎の臼歯８、下顎の臼歯９、総義歯等）を蝋材２に押し付け仮止めさせる。また、蝋材２を台紙３から分離することができるので、人工歯の追加、変更、再配置等の自由度が高い。
【００３０】
以上の実施形態によれば、蝋材２が穴４に没入し、引っかかるので、台紙３から蝋材２が外れにくい。台紙３が基本的に紙であるので、安価である。プラスチックのように金型が不要である。台紙３のデザインの幅が広がる。台紙３、プラスチックダンボール３５の形状は切断加工が容易であるので、蝋材支持板１のバリエーションが豊富になり、形状等の自由度が大幅に拡大する。台紙３が基本的に紙であるので、印刷が容易である。配置に自由度があり、商品価値が高くなる。台紙３が基本的に紙であるので、廃棄物として処理しやすく環境への負荷を低減できる。
【００３１】
なお、本考案の実施の形態は、上記の実施形態に何ら限定されるものではなく、本考案の技術的思想を逸脱しない範囲において、改変等を加えることができるものであり、それらの改変、均等物等も本考案の技術的範囲に含まれ、該技術的範囲に属する限り種々の形態を採り得ることは無論である。
【符号の説明】
【００３２】
１・・・蝋材支持板
２・・・蝋材
３・・・台紙
４・・・穴
６・・・上顎の前歯
７・・・下顎の前歯
８・・・上顎の臼歯
９・・・下顎の臼歯
Ｓ・・・周囲
Ｋ・・・空隙
２０・・・収容箱
２１・・・底板
３１・・・側面
３２・・・上面
３３・・・下面
３５・・・プラスチックダンボール
３６・・・薄紙
【図１】
0003162085.tif 000003
【図２】
0003162085.tif 000004
【図３】
0003162085.tif 000005
【図４】
0003162085.tif 000006
【図５】
0003162085.tif 000007
【図６】
0003162085.tif 000008
【図７】
0003162085.tif 000009